(57)【要約】【課題】出力回転部材の回転速度の検出精度が確保できないときに、無段変速機構の耐久性の低下を抑制又は回避する。【解決手段】出力軸回転速度Ｎoutの検出精度が無いときに、ハード保護要求による最ロー側変速比γmax以外の目標変速比γcvttを設定する要求が有る場合には、無段変速機構２４の目標変速比γcvttがハード保護要求による目標変速比γcvttに設定されるので、目標変速比γcvttが最ロー側変速比γmaxとされたことでその最ロー側変速比γmaxへの無段変速機構２４の変速が実行されると無段変速機構２４の耐久性が低下する可能性があるときには、無段変速機構２４の変速比γcvtを最ロー側変速比γmaxとする制御が実行されない。よって、出力軸回転速度Ｎoutの検出精度が確保できないときに、無段変速機構２４の耐久性の低下を抑制又は回避することができる。【選択図】図３
2019132307.tif 000002
【特許請求の範囲】
【請求項１】
動力源の動力が伝達される入力回転部材と駆動輪へ前記動力を出力する出力回転部材との間に並列に設けられた、前記動力を前記入力回転部材から前記出力回転部材へ各々伝達することが可能な複数の動力伝達経路を備え、前記複数の動力伝達経路は、ギヤ段を有するギヤ機構を介した第１動力伝達経路と、プライマリプーリとセカンダリプーリとの間に伝達要素が巻き掛けられた無段変速機構を介した第２動力伝達経路とを有しており、前記第１動力伝達経路は前記第１動力伝達経路に設けられた第１係合装置の係合によって形成され、前記第２動力伝達経路は前記第２動力伝達経路において前記無段変速機構よりも前記駆動輪側に設けられた第２係合装置の係合によって形成される車両用動力伝達装置の、制御装置であって、
前記出力回転部材の回転速度の検出精度が無いか否かを判定する精度有無判定部と、
ハード保護の為の、最ロー側変速比よりもハイ側の変速比となる前記無段変速機構の目標変速比を設定する要求が有るか否かを判定する要求有無判定部と、
前記出力回転部材の回転速度の検出精度が無いときに、前記要求が有る場合には、前記無段変速機構の目標変速比を前記ハード保護の為の前記目標変速比に設定する一方で、前記要求が無い場合には、前記無段変速機構の目標変速比を前記最ロー側変速比に設定する変速制御部と
を、含むことを特徴とする車両用動力伝達装置の制御装置。
【請求項２】
前記出力回転部材の回転速度の検出精度が無いか否かを判定することは、車両停止中であるか否かを判定することであることを特徴とする請求項１に記載の車両用動力伝達装置の制御装置。
【請求項３】
前記変速制御部は、前記車両停止中、且つ前記第１係合装置及び前記第２係合装置が何れも解放された状態にある前記車両用動力伝達装置のニュートラル状態のときに、前記要求が有る場合には、前記無段変速機構の目標変速比を前記ハード保護の為の前記目標変速比に設定する一方で、前記要求が無い場合には、前記無段変速機構の目標変速比を前記最ロー側変速比に設定することを特徴とする請求項２に記載の車両用動力伝達装置の制御装置。
【請求項４】
前記変速制御部は、前記車両停止中のときに、前記第１動力伝達経路及び前記第２動力伝達経路のうちの何れかが形成されている場合には、前記無段変速機構の目標変速比を前記最ロー側変速比に設定することを特徴とする請求項３に記載の車両用動力伝達装置の制御装置。
【請求項５】
前記変速制御部は、前記出力回転部材の回転速度の検出精度が有るときには、前記無段変速機構の目標変速比を、前記出力回転部材の回転速度の実際値と前記入力回転部材の回転速度の目標値とを用いて算出することを特徴とする請求項１から４の何れか１項に記載の車両用動力伝達装置の制御装置。
【請求項６】
前記ハード保護は、前記無段変速機構の耐久性の低下を抑制又は回避することであることを特徴とする請求項１から５の何れか１項に記載の車両用動力伝達装置の制御装置。
【発明の詳細な説明】
【技術分野】
【０００１】
本発明は、動力源と駆動輪との間に並列に設けられた複数の動力伝達経路を備える車両用動力伝達装置の制御装置に関するものである。
【背景技術】
【０００２】
動力源の動力が伝達される入力回転部材と駆動輪へ前記動力を出力する出力回転部材との間に並列に設けられた、ギヤ段を有するギヤ機構を介した第１動力伝達経路と、プライマリプーリとセカンダリプーリとの間に伝達要素が巻き掛けられた無段変速機構を介した第２動力伝達経路との複数の動力伝達経路を備え、前記第１動力伝達経路は第１係合装置の係合によって形成され、前記第２動力伝達経路は前記無段変速機構よりも前記駆動輪側に設けられた第２係合装置の係合によって形成される車両用動力伝達装置の制御装置が良く知られている。例えば、特許文献１に記載された車両の制御装置がそれである。この特許文献１には、ギヤ機構と無段変速機構とを並列に備えた車両において、第１動力伝達経路が遮断されたニュートラル状態且つ第２動力伝達経路が形成された状態での走行中に車両が停止に近づいたら、第２係合装置を解放して無段変速機構と駆動輪との間の動力伝達経路を遮断し、その後、車両が停止して運転者がエンジン停止操作を実施したときに無段変速機構の変速比が最ロー側変速比でない場合には、最ロー側変速比となるまでエンジン停止を実行せず、エンジンによって無段変速機構を回転させることが開示されている。
【０００３】
尚、変速比は、「入力側の回転部材の回転速度／出力側の回転部材の回転速度」である。例えば、前記無段変速機構の変速比は、「プライマリプーリの回転速度／セカンダリプーリの回転速度」である。又、前記車両用動力伝達装置の変速比は、「入力回転部材の回転速度／出力回転部材の回転速度」である。変速比におけるハイ側は、変速比が小さくなる側である高車速側である。変速比におけるロー側は、変速比が大きくなる側である低車速側である。例えば、最ロー側変速比は、最も低車速側となる最低車速側の変速比であり、変速比が最も大きな値となる最大変速比である。
【先行技術文献】
【特許文献】
【０００４】
【特許文献１】特開２０１６−２３７１６号公報
【発明の概要】
【発明が解決しようとする課題】
【０００５】
ところで、車両停止時等のように出力回転部材の回転速度の検出精度が確保できない状況では、無段変速機構の目標変速比を一律に最ロー側変速比とすることが考えられる。しかしながら、車両の状況によっては、無段変速機構の目標変速比を最ロー側変速比とすることが適切とはならない場合がある。無段変速機構の変速比を最ロー側変速比とするには、プライマリプーリの推力を低下させると共に、セカンダリプーリの推力を最ロー側変速比が確実に実現され得る推力とすれば良い。この際、例えばセカンダリプーリの推力が最大となってしまうようなフェールが発生していると、無段変速機構の変速比を最ロー側変速比とすることはできるものの、伝達要素に対する挟圧力が過大となってしまうので無段変速機構の耐久性が低下する可能性がある。
【０００６】
本発明は、以上の事情を背景として為されたものであり、その目的とするところは、出力回転部材の回転速度の検出精度が確保できないときに、無段変速機構の耐久性の低下を抑制又は回避することができる車両用動力伝達装置の制御装置を提供することにある。
【課題を解決するための手段】
【０００７】
第１の発明の要旨とするところは、（ａ）動力源の動力が伝達される入力回転部材と駆動輪へ前記動力を出力する出力回転部材との間に並列に設けられた、前記動力を前記入力回転部材から前記出力回転部材へ各々伝達することが可能な複数の動力伝達経路を備え、前記複数の動力伝達経路は、ギヤ段を有するギヤ機構を介した第１動力伝達経路と、プライマリプーリとセカンダリプーリとの間に伝達要素が巻き掛けられた無段変速機構を介した第２動力伝達経路とを有しており、前記第１動力伝達経路は前記第１動力伝達経路に設けられた第１係合装置の係合によって形成され、前記第２動力伝達経路は前記第２動力伝達経路において前記無段変速機構よりも前記駆動輪側に設けられた第２係合装置の係合によって形成される車両用動力伝達装置の、制御装置であって、（ｂ）前記出力回転部材の回転速度の検出精度が無いか否かを判定する精度有無判定部と、（ｃ）ハード保護の為の、最ロー側変速比よりもハイ側の変速比となる前記無段変速機構の目標変速比を設定する要求が有るか否かを判定する要求有無判定部と、（ｄ）前記出力回転部材の回転速度の検出精度が無いときに、前記要求が有る場合には、前記無段変速機構の目標変速比を前記ハード保護の為の前記目標変速比に設定する一方で、前記要求が無い場合には、前記無段変速機構の目標変速比を前記最ロー側変速比に設定する変速制御部とを、含むことにある。
【０００８】
また、第２の発明は、前記第１の発明に記載の車両用動力伝達装置の制御装置において、前記出力回転部材の回転速度の検出精度が無いか否かを判定することは、車両停止中であるか否かを判定することである。
【０００９】
また、第３の発明は、前記第２の発明に記載の車両用動力伝達装置の制御装置において、前記変速制御部は、前記車両停止中、且つ前記第１係合装置及び前記第２係合装置が何れも解放された状態にある前記車両用動力伝達装置のニュートラル状態のときに、前記要求が有る場合には、前記無段変速機構の目標変速比を前記ハード保護の為の前記目標変速比に設定する一方で、前記要求が無い場合には、前記無段変速機構の目標変速比を前記最ロー側変速比に設定することにある。
【００１０】
また、第４の発明は、前記第３の発明に記載の車両用動力伝達装置の制御装置において、前記変速制御部は、前記車両停止中のときに、前記第１動力伝達経路及び前記第２動力伝達経路のうちの何れかが形成されている場合には、前記無段変速機構の目標変速比を前記最ロー側変速比に設定することにある。
【００１１】
また、第５の発明は、前記第１の発明から第４の発明の何れか１つに記載の車両用動力伝達装置の制御装置において、前記変速制御部は、前記出力回転部材の回転速度の検出精度が有るときには、前記無段変速機構の目標変速比を、前記出力回転部材の回転速度の実際値と前記入力回転部材の回転速度の目標値とを用いて算出することにある。
【００１２】
また、第６の発明は、前記第１の発明から第５の発明の何れか１つに記載の車両用動力伝達装置の制御装置において、前記ハード保護は、前記無段変速機構の耐久性の低下を抑制又は回避することである。
【発明の効果】
【００１３】
前記第１の発明によれば、出力回転部材の回転速度の検出精度が無いときに、ハード保護の為の、最ロー側変速比よりもハイ側の変速比となる無段変速機構の目標変速比を設定する要求が有る場合には、無段変速機構の目標変速比がハード保護の為の目標変速比に設定されるので、目標変速比が最ロー側変速比とされたことでその最ロー側変速比への無段変速機構の変速が実行されると無段変速機構の耐久性が低下する可能性があるときには、無段変速機構の変速比を最ロー側変速比とする制御が実行されない。よって、出力回転部材の回転速度の検出精度が確保できないときに、無段変速機構の耐久性の低下を抑制又は回避することができる。一方で、出力回転部材の回転速度の検出精度が無いときに、前記要求が無い場合には、無段変速機構の目標変速比が最ロー側変速比に設定されるので、出力回転部材の回転速度を用いて目標変速比を算出することができないときには、無段変速機構の変速比を最ロー側変速比とする制御が実行され得る。
【００１４】
また、前記第２の発明によれば、出力回転部材の回転速度の検出精度が無いか否かを判定することは、車両停止中であるか否かを判定することであるので、車両停止中のときに、無段変速機構の耐久性の低下を抑制又は回避することができる。
【００１５】
また、前記第３の発明によれば、車両停止中且つ車両用動力伝達装置のニュートラル状態のときに、ハード保護の為の、最ロー側変速比よりもハイ側の変速比となる無段変速機構の目標変速比を設定する要求が有る場合には、無段変速機構の目標変速比がハード保護の為の目標変速比に設定されるので、目標変速比が最ロー側変速比とされたことでその最ロー側変速比への無段変速機構の変速が実行されると無段変速機構の耐久性が低下する可能性があるときには、無段変速機構の変速比が最ロー側変速比とされない。よって、車両停止中且つ車両用動力伝達装置のニュートラル状態のときに、無段変速機構の耐久性の低下を抑制又は回避することができる。一方で、車両停止中且つ車両用動力伝達装置のニュートラル状態のときに、前記要求が無い場合には、無段変速機構の目標変速比が最ロー側変速比に設定されるので、出力回転部材の回転速度を用いて目標変速比を算出することができないときには、無段変速機構の変速比が最ロー側変速比とされる。
【００１６】
また、前記第４の発明によれば、車両停止中のときに、第１動力伝達経路及び第２動力伝達経路のうちの何れかが形成されている場合には、無段変速機構の目標変速比が最ロー側変速比に設定されるので、出力回転部材の回転速度を用いて目標変速比を算出することができず、且つ無段変速機構の変速を実行できないときには目標変速比が最ロー側変速比に固定される。
【００１７】
また、前記第５の発明によれば、出力回転部材の回転速度の検出精度が有るときには、無段変速機構の目標変速比が、出力回転部材の回転速度の実際値と入力回転部材の回転速度の目標値とを用いて算出されるので、走行状態に合った適切な目標変速比が算出される。
【００１８】
また、前記第６の発明によれば、前記ハード保護は、無段変速機構の耐久性の低下を抑制又は回避することであるので、出力回転部材の回転速度の検出精度が確保できないときに、無段変速機構の耐久性の低下を抑制又は回避することができる。
【図面の簡単な説明】
【００１９】
【図１】本発明が適用される車両の概略構成を説明する図であると共に、車両における各種制御の為の制御機能及び制御系統の要部を説明する図である。
【図２】出力軸回転速度の検出精度と目標変速比の設定との関係を説明する為の図表である。
【図３】電子制御装置の制御作動の要部すなわち出力軸回転速度の検出精度が確保できないときに無段変速機構の耐久性の低下を抑制又は回避する為の制御作動を説明するフローチャートである。
【発明を実施するための形態】
【００２０】
本発明の実施形態において、入力側のプーリである前記プライマリプーリと出力側のプーリである前記セカンダリプーリとは、各々、例えば固定シーブと可動シーブとそれらの固定シーブ及び可動シーブの間の溝幅を変更する為の推力を付与する油圧アクチュエータとを有する。前記車両用動力伝達装置を備える車両は、前記油圧アクチュエータに供給される作動油圧としてのプーリ油圧をそれぞれ独立に制御する油圧制御回路を備える。この油圧制御回路は、例えば前記油圧アクチュエータへの作動油の流量を制御することにより結果的にプーリ油圧を生じるように構成されても良い。このような油圧制御回路により、前記プライマリプーリ及び前記セカンダリプーリにおける各推力（＝プーリ油圧×受圧面積）が各々制御されることで、前記無段変速機構の前記伝達要素の滑りを防止しつつ目標の変速が実現されるように変速制御が実行される。前記プライマリプーリと前記セカンダリプーリとの間に巻き掛けられた前記伝達要素は、無端環状のフープと、そのフープに沿って厚さ方向に多数連ねられた厚肉板片状のブロックであるエレメントとを有する無端環状の圧縮式の伝動ベルト、又は、交互に重ねられたリンクプレートの端部が連結ピンによって相互に連結された無端環状のリンクチェーンを構成する引張式の伝動ベルトなどである。前記無段変速機構は、公知のベルト式の無段変速機である。広義には、このベルト式の無段変速機の概念にチェーン式の無段変速機を含む。
【００２１】
また、前記動力源は、例えば燃料の燃焼によって動力を発生するガソリンエンジンやディーゼルエンジン等のエンジンである。又、前記車両は、前記動力源として、このエンジンに加えて、又は、このエンジンに替えて、電動機等を備えていても良い。
【００２２】
以下、本発明の実施例を図面を参照して詳細に説明する。
【実施例】
【００２３】
図１は、本発明が適用される車両１０の概略構成を説明する図であると共に、車両１０における各種制御の為の制御機能及び制御系統の要部を説明する図である。図１において、車両１０は、動力源として機能するエンジン１２と、駆動輪１４と、エンジン１２と駆動輪１４との間の動力伝達経路に設けられた車両用動力伝達装置１６とを備えている。以下、車両用動力伝達装置１６を動力伝達装置１６という。
【００２４】
動力伝達装置１６は、非回転部材としてのケース１８内において、エンジン１２に連結された流体式伝動装置としての公知のトルクコンバータ２０、トルクコンバータ２０に連結された入力軸２２、入力軸２２に連結された無段変速機構２４、同じく入力軸２２に連結された前後進切替装置２６、前後進切替装置２６を介して入力軸２２に連結されて無段変速機構２４と並列に設けられたギヤ機構２８、無段変速機構２４及びギヤ機構２８の共通の出力回転部材である出力軸３０、カウンタ軸３２、出力軸３０及びカウンタ軸３２に各々相対回転不能に設けられて噛み合う一対のギヤから成る減速歯車装置３４、カウンタ軸３２に相対回転不能に設けられたギヤ３６、ギヤ３６に連結されたデフギヤ３８等を備えている。又、動力伝達装置１６は、デフギヤ３８に連結された左右の車軸４０を備えている。入力軸２２は、エンジン１２の動力が伝達される入力回転部材である。出力軸３０は、駆動輪１４へエンジン１２の動力を出力する出力回転部材である。前記動力は、特に区別しない場合にはトルクや力も同意である。
【００２５】
このように構成された動力伝達装置１６において、エンジン１２から出力される動力は、トルクコンバータ２０、前後進切替装置２６、ギヤ機構２８、減速歯車装置３４、デフギヤ３８、車軸４０等を順次介して、左右の駆動輪１４へ伝達される。又は、動力伝達装置１６において、エンジン１２から出力される動力は、トルクコンバータ２０、無段変速機構２４、減速歯車装置３４、デフギヤ３８、車軸４０等を順次介して、左右の駆動輪１４へ伝達される。
【００２６】
上述したように、動力伝達装置１６は、エンジン１２と駆動輪１４との間の動力伝達経路ＰＴに並列に設けられた、ギヤ機構２８及び無段変速機構２４を備えている。具体的には、動力伝達装置１６は、入力軸２２と出力軸３０との間の動力伝達経路ＰＴに並列に設けられた、ギヤ機構２８及び無段変速機構２４を備えている。つまり、動力伝達装置１６は、入力軸２２と出力軸３０との間に並列に設けられた、エンジン１２の動力を入力軸２２から出力軸３０へ各々伝達することが可能な複数の動力伝達経路を備えている。複数の動力伝達経路は、ギヤ機構２８を介した第１動力伝達経路ＰＴ１と、無段変速機構２４を介した第２動力伝達経路ＰＴ２とを有している。すなわち、動力伝達装置１６は、第１動力伝達経路ＰＴ１と第２動力伝達経路ＰＴ２との複数の動力伝達経路を、入力軸２２と出力軸３０との間に並列に備えている。第１動力伝達経路ＰＴ１は、エンジン１２の動力を入力軸２２からギヤ機構２８を介して駆動輪１４へ伝達する動力伝達経路である。第２動力伝達経路ＰＴ２は、エンジン１２の動力を入力軸２２から無段変速機構２４を介して駆動輪１４へ伝達する動力伝達経路である。
【００２７】
動力伝達装置１６では、エンジン１２の動力を駆動輪１４へ伝達する動力伝達経路が、車両１０の走行状態に応じて第１動力伝達経路ＰＴ１と第２動力伝達経路ＰＴ２とで切り替えられる。その為、動力伝達装置１６は、第１動力伝達経路ＰＴ１と第２動力伝達経路ＰＴ２とを選択的に形成する複数の係合装置を備えている。複数の係合装置は、第１クラッチＣ１、第１ブレーキＢ１、及び第２クラッチＣ２を含んでいる。第１クラッチＣ１は、第１動力伝達経路ＰＴ１に設けられており、第１動力伝達経路ＰＴ１を選択的に接続したり、切断したりする係合装置であって、前進時に、係合されることで第１動力伝達経路ＰＴ１を形成する第１係合装置である。第１ブレーキＢ１は、第１動力伝達経路ＰＴ１に設けられており、第１動力伝達経路ＰＴ１を選択的に接続したり、切断したりする係合装置であって、後進時に、係合されることで第１動力伝達経路ＰＴ１を形成する第１係合装置である。第１動力伝達経路ＰＴ１は、第１クラッチＣ１又は第１ブレーキＢ１の係合によって形成される。第２クラッチＣ２は、第２動力伝達経路ＰＴ２に設けられており、第２動力伝達経路ＰＴ２を選択的に接続したり、切断したりする係合装置であって、係合されることで第２動力伝達経路ＰＴ２を形成する第２係合装置である。第２動力伝達経路ＰＴ２は、第２クラッチＣ２の係合によって形成される。第１クラッチＣ１、第１ブレーキＢ１、及び第２クラッチＣ２は、何れも油圧アクチュエータによって摩擦係合させられる公知の油圧式の湿式の摩擦係合装置である。第１クラッチＣ１及び第１ブレーキＢ１は、各々、後述するように、前後進切替装置２６を構成する要素の１つである。
【００２８】
エンジン１２は、電子スロットル装置や燃料噴射装置や点火装置などのエンジン１２の出力制御に必要な種々の機器を有するエンジン制御装置４２を備えている。エンジン１２は、後述する電子制御装置９０によって、運転者による車両１０に対する駆動要求量に対応するアクセルペダルの操作量であるアクセル操作量θaccに応じてエンジン制御装置４２が制御されることで、エンジントルクＴeが制御される。
【００２９】
トルクコンバータ２０は、エンジン１２に連結されたポンプ翼車２０ｐ、及び入力軸２２に連結されたタービン翼車２０ｔを備えている。動力伝達装置１６は、ポンプ翼車２０ｐに連結された機械式のオイルポンプ４４を備えている。オイルポンプ４４は、エンジン１２により回転駆動されることにより、無段変速機構２４を変速制御したり、無段変速機構２４におけるベルト挟圧力を発生させたり、前記複数の係合装置の各々の係合や解放などの作動状態を切り替えたりする為の作動油圧の元圧を、車両１０に備えられた油圧制御回路４６へ供給する。
【００３０】
前後進切替装置２６は、ダブルピニオン型の遊星歯車装置２６ｐ、第１クラッチＣ１、及び第１ブレーキＢ１を備えている。遊星歯車装置２６ｐは、入力要素としてのキャリア２６ｃと、出力要素としてのサンギヤ２６ｓと、反力要素としてのリングギヤ２６ｒとの３つの回転要素を有する差動機構である。キャリア２６ｃは、入力軸２２に連結されている。リングギヤ２６ｒは、第１ブレーキＢ１を介してケース１８に選択的に連結される。サンギヤ２６ｓは、入力軸２２回りにその入力軸２２に対して同軸心に相対回転可能に設けられた小径ギヤ４８に連結されている。キャリア２６ｃとサンギヤ２６ｓとは、第１クラッチＣ１を介して選択的に連結される。
【００３１】
ギヤ機構２８は、小径ギヤ４８と、ギヤ機構カウンタ軸５０と、ギヤ機構カウンタ軸５０回りにそのギヤ機構カウンタ軸５０に対して同軸心に相対回転不能に設けられて小径ギヤ４８と噛み合う大径ギヤ５２とを備えている。大径ギヤ５２は、小径ギヤ４８よりも大径である。又、ギヤ機構２８は、ギヤ機構カウンタ軸５０回りにそのギヤ機構カウンタ軸５０に対して同軸心に相対回転可能に設けられたアイドラギヤ５４と、出力軸３０回りにその出力軸３０に対して同軸心に相対回転不能に設けられてアイドラギヤ５４と噛み合う出力ギヤ５６とを備えている。出力ギヤ５６は、アイドラギヤ５４よりも大径である。従って、ギヤ機構２８は、入力軸２２と出力軸３０との間の動力伝達経路ＰＴにおいて、１つのギヤ段が形成される。ギヤ機構２８は、ギヤ段を有するギヤ機構である。ギヤ機構２８は、更に、ギヤ機構カウンタ軸５０回りに、大径ギヤ５２とアイドラギヤ５４との間に設けられて、これらの間の動力伝達経路を選択的に接続したり、切断したりする噛合式クラッチＤ１を備えている。噛合式クラッチＤ１は、第１動力伝達経路ＰＴ１を選択的に接続したり、切断したりする係合装置であって、係合されることで第１動力伝達経路ＰＴ１を形成する係合装置である。噛合式クラッチＤ１は、第１クラッチＣ１又は第１ブレーキＢ１と共に係合されることで第１動力伝達経路ＰＴ１を形成する係合装置であり、前記複数の係合装置に含まれる。噛合式クラッチＤ１は、動力伝達装置１６に備えられた不図示の油圧アクチュエータの作動によって作動状態が切り替えられる。
【００３２】
第１動力伝達経路ＰＴ１は、噛合式クラッチＤ１と、噛合式クラッチＤ１よりも入力軸２２側に設けられた、第１クラッチＣ１又は第１ブレーキＢ１とが共に係合されることで形成される。第１クラッチＣ１の係合により前進用の動力伝達経路が形成される一方で、第１ブレーキＢ１の係合により後進用の動力伝達経路が形成される。動力伝達装置１６では、第１動力伝達経路ＰＴ１が形成されると、エンジン１２の動力を入力軸２２からギヤ機構２８を経由して出力軸３０へ伝達することができる動力伝達可能状態とされる。一方で、第１動力伝達経路ＰＴ１は、第１クラッチＣ１及び第１ブレーキＢ１が共に解放されると、又は、噛合式クラッチＤ１が解放されると、動力伝達が不能なニュートラル状態とされる。
【００３３】
無段変速機構２４は、入力軸２２と同軸心に設けられて入力軸２２と一体的に連結されたプライマリ軸５８と、プライマリ軸５８に連結された有効径が可変のプライマリプーリ６０と、出力軸３０と同軸心に設けられたセカンダリ軸６２と、セカンダリ軸６２に連結された有効径が可変のセカンダリプーリ６４と、それら各プーリ６０，６４の間に巻き掛けられた伝達要素としての伝動ベルト６６とを備えている。無段変速機構２４は、各プーリ６０，６４と伝動ベルト６６との間の摩擦力を介して動力伝達が行われる公知のベルト式の無段変速機であり、エンジン１２の動力を駆動輪１４側へ伝達する。前記摩擦力は、挟圧力も同意であり、ベルト挟圧力ともいう。このベルト挟圧力は、無段変速機構２４における伝動ベルト６６のトルク容量であるベルトトルク容量Ｔcvtである。
【００３４】
プライマリプーリ６０は、プライマリ軸５８に連結された固定シーブ６０ａと、固定シーブ６０ａに対してプライマリ軸５８の軸心回りの相対回転不能且つ軸心方向の移動可能に設けられた可動シーブ６０ｂと、可動シーブ６０ｂに対してプライマリ推力Ｗpriを付与する油圧アクチュエータ６０ｃとを備えている。プライマリ推力Ｗpriは、固定シーブ６０ａと可動シーブ６０ｂとの間のＶ溝幅を変更する為のプライマリプーリ６０の推力（＝プライマリ圧Ｐpri×受圧面積）である。つまり、プライマリ推力Ｗpriは、油圧アクチュエータ６０ｃによって付与される伝動ベルト６６を挟圧するプライマリプーリ６０の推力である。プライマリ圧Ｐpriは、油圧制御回路４６によって油圧アクチュエータ６０ｃへ供給される油圧であり、プライマリ推力Ｗpriを生じさせるプーリ油圧である。又、セカンダリプーリ６４は、セカンダリ軸６２に連結された固定シーブ６４ａと、固定シーブ６４ａに対してセカンダリ軸６２の軸心回りの相対回転不能且つ軸心方向の移動可能に設けられた可動シーブ６４ｂと、可動シーブ６４ｂに対してセカンダリ推力Ｗsecを付与する油圧アクチュエータ６４ｃとを備えている。セカンダリ推力Ｗsecは、固定シーブ６４ａと可動シーブ６４ｂとの間のＶ溝幅を変更する為のセカンダリプーリ６４の推力（＝セカンダリ圧Ｐsec×受圧面積）である。つまり、セカンダリ推力Ｗsecは、油圧アクチュエータ６４ｃによって付与される伝動ベルト６６を挟圧するセカンダリプーリ６４の推力である。セカンダリ圧Ｐsecは、油圧制御回路４６によって油圧アクチュエータ６４ｃへ供給される油圧であり、セカンダリ推力Ｗsecを生じさせるプーリ油圧である。
【００３５】
無段変速機構２４では、後述する電子制御装置９０により駆動される油圧制御回路４６によってプライマリ圧Ｐpri及びセカンダリ圧Ｐsecが各々調圧制御されることにより、プライマリ推力Ｗpri及びセカンダリ推力Ｗsecが各々制御される。これにより、無段変速機構２４では、各プーリ６０，６４のＶ溝幅が変化して伝動ベルト６６の掛かり径（＝有効径）が変更され、変速比γcvt（＝プライマリ回転速度Ｎpri／セカンダリ回転速度Ｎsec）が変化させられると共に、伝動ベルト６６が滑りを生じないようにベルト挟圧力が制御される。つまり、プライマリ推力Ｗpri及びセカンダリ推力Ｗsecが各々制御されることで、伝動ベルト６６の滑りであるベルト滑りが防止されつつ無段変速機構２４の変速比γcvtが目標変速比γcvttとされる。尚、プライマリ回転速度Ｎpriはプライマリ軸５８の回転速度であり、セカンダリ回転速度Ｎsecはセカンダリ軸６２の回転速度である。
【００３６】
無段変速機構２４では、プライマリ圧Ｐpriが高められると、プライマリプーリ６０のＶ溝幅が狭くされて変速比γcvtが小さくされる。変速比γcvtが小さくされることは、無段変速機構２４がアップシフトされることである。無段変速機構２４では、プライマリプーリ６０のＶ溝幅が最小とされるところで、最ハイ側変速比γminが形成される。この最ハイ側変速比γminは、無段変速機構２４により形成できる変速比γcvtの範囲のうちの最も高車速側となる最高車速側の変速比γcvtであり、変速比γcvtが最も小さな値となる最小変速比である。一方で、無段変速機構２４では、プライマリ圧Ｐpriが低められると、プライマリプーリ６０のＶ溝幅が広くされて変速比γcvtが大きくされる。変速比γcvtが大きくされることは、無段変速機構２４がダウンシフトされることである。無段変速機構２４では、プライマリプーリ６０のＶ溝幅が最大とされるところで、最ロー側変速比γmaxが形成される。この最ロー側変速比γmaxは、無段変速機構２４により形成できる変速比γcvtの範囲のうちの最も低車速側となる最低車速側の変速比γcvtであり、変速比γcvtが最も大きな値となる最大変速比である。尚、無段変速機構２４では、プライマリ推力Ｗpriとセカンダリ推力Ｗsecとによりベルト滑りが防止されつつ、プライマリ推力Ｗpriとセカンダリ推力Ｗsecとの相互関係にて目標変速比γcvttが実現されるものであり、一方の推力のみで目標の変速が実現されるものではない。プライマリ圧Ｐpriとセカンダリ圧Ｐsecとの相互関係で、プライマリ推力Ｗpriとセカンダリ推力Ｗsecとの比の値である推力比τ（＝Ｗsec／Ｗpri）が変更されることにより無段変速機構２４の変速比γcvtが変更される。推力比τは、セカンダリ推力Ｗsecのプライマリ推力Ｗpriに対する比の値である。例えば、推力比τが大きくされる程、変速比γcvtが大きくされる、すなわち無段変速機構２４はダウンシフトされる。
【００３７】
出力軸３０は、セカンダリ軸６２に対して同軸心に相対回転可能に配置されている。第２クラッチＣ２は、セカンダリプーリ６４と出力軸３０との間の動力伝達経路に設けられている。すなわち、第２クラッチＣ２は、第２動力伝達経路ＰＴ２において無段変速機構２４よりも駆動輪１４側に設けられている。第２動力伝達経路ＰＴ２は、第２クラッチＣ２が係合されることで形成される。動力伝達装置１６では、第２動力伝達経路ＰＴ２が形成されると、エンジン１２の動力を入力軸２２から無段変速機構２４を経由して出力軸３０へ伝達することができる動力伝達可能状態とされる。一方で、第２動力伝達経路ＰＴ２は、第２クラッチＣ２が解放されると、ニュートラル状態とされる。無段変速機構２４の変速比γcvtは、第２動力伝達経路ＰＴ２における変速比に相当する。
【００３８】
動力伝達装置１６では、第１動力伝達経路ＰＴ１における変速比γgear（＝入力軸回転速度Ｎin／出力軸回転速度Ｎout）であるギヤ機構２８の変速比ＥＬは、第２動力伝達経路ＰＴ２における最大変速比である無段変速機構２４の最ロー側変速比γmaxよりも大きな値に設定されている。すなわち、変速比ＥＬは、最ロー側変速比γmaxよりもロー側の変速比に設定されている。ギヤ機構２８の変速比ＥＬは、動力伝達装置１６における第１速変速比γ１に相当し、無段変速機構２４の最ロー側変速比γmaxは、動力伝達装置１６における第２速変速比γ２に相当する。このように、第２動力伝達経路ＰＴ２は、第１動力伝達経路ＰＴ１よりもハイ側の変速比が形成される。尚、入力軸回転速度Ｎinは入力軸２２の回転速度であり、出力軸回転速度Ｎoutは出力軸３０の回転速度である。
【００３９】
車両１０では、ギヤ走行モードでの走行とベルト走行モードでの走行とを選択的に行うことが可能である。ギヤ走行モードは、第１動力伝達経路ＰＴ１を用いて走行する走行モードであって、動力伝達装置１６において第１動力伝達経路ＰＴ１が形成された状態とする走行モードである。ベルト走行モードは、第２動力伝達経路ＰＴ２を用いて走行する走行モードであって、動力伝達装置１６において第２動力伝達経路ＰＴ２が形成された状態とする走行モードである。ギヤ走行モードでは、前進走行を可能とする場合、第１クラッチＣ１及び噛合式クラッチＤ１が係合され且つ第２クラッチＣ２及び第１ブレーキＢ１が解放される。ギヤ走行モードでは、後進走行を可能とする場合、第１ブレーキＢ１及び噛合式クラッチＤ１が係合され且つ第２クラッチＣ２及び第１クラッチＣ１が解放される。ベルト走行モードでは、第２クラッチＣ２が係合され且つ第１クラッチＣ１及び第１ブレーキＢ１が解放される。このベルト走行モードでは前進走行が可能となる。
【００４０】
ギヤ走行モードは、車両停止中を含む比較的低車速領域において選択される。ベルト走行モードは、中車速領域を含む比較的高車速領域において選択される。ベルト走行モードのうちの中車速領域でのベルト走行モードでは噛合式クラッチＤ１が係合される一方で、ベルト走行モードのうちの高車速領域でのベルト走行モードでは噛合式クラッチＤ１が解放される。高車速領域でのベルト走行モードにて噛合式クラッチＤ１が解放されるのは、例えばベルト走行モードでの走行中のギヤ機構２８等の引き摺りをなくすと共に、高車速においてギヤ機構２８や遊星歯車装置２６ｐの構成部材である例えばピニオン等が高回転化するのを防止する為である。
【００４１】
車両１０は、動力伝達装置１６の制御装置を含むコントローラとしての電子制御装置９０を備えている。電子制御装置９０は、例えばＣＰＵ、ＲＡＭ、ＲＯＭ、入出力インターフェース等を備えた所謂マイクロコンピュータを含んで構成されており、ＣＰＵはＲＡＭの一時記憶機能を利用しつつ予めＲＯＭに記憶されたプログラムに従って信号処理を行うことにより車両１０の各種制御を実行する。電子制御装置９０は、エンジン１２の出力制御、無段変速機構２４の変速制御やベルト挟圧力制御、前記複数の係合装置（Ｃ１，Ｂ１，Ｃ２，Ｄ１）の各々の作動状態を切り替える油圧制御等を実行する。電子制御装置９０は、必要に応じてエンジン制御用、油圧制御用等に分けて構成される。
【００４２】
電子制御装置９０には、車両１０に備えられた各種センサ等（例えば各種回転速度センサ７０、７２，７４，７６、アクセル操作量センサ７８、スロットル開度センサ８０、シフトポジションセンサ８２など）による各種検出信号等（例えばエンジン回転速度Ｎe、入力軸回転速度Ｎinと同値となるプライマリ回転速度Ｎpri、セカンダリ回転速度Ｎsec、車速Ｖに対応する出力軸回転速度Ｎout、運転者の加速操作の大きさを表すアクセル操作量θacc、スロットル開度tap、車両１０に備えられたシフトレバー８４の操作ポジションPOSshなど）が、それぞれ供給される。又、電子制御装置９０からは、車両１０に備えられた各装置（例えばエンジン制御装置４２、油圧制御回路４６など）に各種指令信号（例えばエンジン１２を制御する為のエンジン制御指令信号Ｓe、無段変速機構２４の変速やベルト挟圧力等を制御する為の油圧制御指令信号Ｓcvt、前記複数の係合装置の各々の作動状態を制御する為の油圧制御指令信号Ｓcbdなど）が、それぞれ出力される。尚、入力軸回転速度Ｎin（＝プライマリ回転速度Ｎpri）はタービン回転速度でもあり、又、プライマリ回転速度Ｎpriはプライマリプーリ６０の回転速度でもあり、又、セカンダリ回転速度Ｎsecはセカンダリプーリ６４の回転速度でもある。又、電子制御装置９０は、プライマリ回転速度Ｎpriとセカンダリ回転速度Ｎsecとに基づいて無段変速機構２４の実際の変速比γcvtである実変速比γcvt（＝Ｎpri／Ｎsec）を算出する。
【００４３】
シフトレバー８４の操作ポジションPOSshは、例えばＰ，Ｒ，Ｎ，Ｄ操作ポジションである。Ｐ操作ポジションは、動力伝達装置１６がニュートラル状態とされ且つ出力軸３０が回転不能に機械的に固定された動力伝達装置１６のＰポジションを選択するパーキング操作ポジションである。動力伝達装置１６のニュートラル状態は、例えば第１クラッチＣ１、第１ブレーキＢ１、及び第２クラッチＣ２が共に解放されることで実現される。つまり、動力伝達装置１６のニュートラル状態は、第１動力伝達経路ＰＴ１及び第２動力伝達経路ＰＴ２が何れも形成されていない状態である。Ｒ操作ポジションは、ギヤ走行モードにて後進走行を可能とする動力伝達装置１６のＲポジションを選択する後進走行操作ポジションである。Ｎ操作ポジションは、動力伝達装置１６がニュートラル状態とされた動力伝達装置１６のＮポジションを選択するニュートラル操作ポジションである。Ｄ操作ポジションは、ギヤ走行モードにて前進走行を可能とするか、又は、ベルト走行モードにて無段変速機構２４の自動変速制御を実行して前進走行を可能とする動力伝達装置１６のＤポジションを選択する前進走行操作ポジションである。
【００４４】
電子制御装置９０は、車両１０における各種制御を実現する為に、エンジン制御手段すなわちエンジン制御部９２、及び変速制御手段すなわち変速制御部９４を備えている。
【００４５】
エンジン制御部９２は、予め実験的に或いは設計的に求められて記憶された関係すなわち予め定められた関係である例えば駆動力マップにアクセル操作量θacc及び車速Ｖを適用することで要求駆動力Ｆdemを算出する。エンジン制御部９２は、その要求駆動力Ｆdemが得られる目標エンジントルクＴetを設定し、その目標エンジントルクＴetが得られるようにエンジン１２を制御するエンジン制御指令信号Ｓeをエンジン制御装置４２へ出力する。
【００４６】
変速制御部９４は、車両停止中に、操作ポジションPOSshがＰ操作ポジション又はＮ操作ポジションである場合には、ギヤ走行モードへの移行に備えて、噛合式クラッチＤ１を係合する油圧制御指令信号Ｓcbdを油圧制御回路４６へ出力する。変速制御部９４は、車両停止中に、操作ポジションPOSshがＰ操作ポジション又はＮ操作ポジションからＤ操作ポジションとされた場合、第１クラッチＣ１を係合する油圧制御指令信号Ｓcbdを油圧制御回路４６へ出力する。これにより、走行モードが前進走行を可能とするギヤ走行モードへ移行させられる。変速制御部９４は、車両停止中に、操作ポジションPOSshがＰ操作ポジション又はＮ操作ポジションからＲ操作ポジションとされた場合、第１ブレーキＢ１を係合する油圧制御指令信号Ｓcbdを油圧制御回路４６へ出力する。これにより、走行モードが後進走行を可能とするギヤ走行モードへ移行させられる。
【００４７】
変速制御部９４は、操作ポジションPOSshがＤ操作ポジションである場合、ギヤ走行モードとベルト走行モードとを切り替える切替制御を実行する。具体的には、変速制御部９４は、ギヤ走行モードにおけるギヤ機構２８の変速比ＥＬに対応する第１速変速段と、ベルト走行モードにおける無段変速機構２４の最ロー側変速比γmaxに対応する第２速変速段とを切り替える為の所定のヒステリシスを有した、予め定められた関係である有段変速マップとしてのアップシフト線及びダウンシフト線に、車速Ｖ及びアクセル操作量θaccを適用することで変速の要否を判断し、その判断結果に基づいて走行モードを切り替える。
【００４８】
変速制御部９４は、ギヤ走行モードでの走行中にアップシフトを判断してベルト走行モードへ切り替える場合、第１クラッチＣ１を解放して第２クラッチＣ２を係合するようにクラッチを掴み替えるクラッチツゥクラッチ変速を行う油圧制御指令信号Ｓcbdを油圧制御回路４６へ出力する。これにより、動力伝達装置１６における動力伝達経路ＰＴは、第１動力伝達経路ＰＴ１から第２動力伝達経路ＰＴ２へ切り替えられる。このように、変速制御部９４は、第１クラッチＣ１の解放と第２クラッチＣ２の係合とによる有段変速制御によって、第１動力伝達経路ＰＴ１が形成された状態であるギヤ走行モードから第２動力伝達経路ＰＴ２が形成された状態であるベルト走行モードへ切り替える動力伝達装置１６のアップシフトを実行する。本実施例では、ギヤ走行モードからベルト走行モードへ切り替える動力伝達装置１６のアップシフトを有段アップシフトと称する。
【００４９】
変速制御部９４は、ベルト走行モードでの走行中にダウンシフトを判断してギヤ走行モードへ切り替える場合、第２クラッチＣ２を解放して第１クラッチＣ１を係合するようにクラッチを掴み替えるクラッチツゥクラッチ変速を行う油圧制御指令信号Ｓcbdを油圧制御回路４６へ出力する。これにより、動力伝達装置１６における動力伝達経路ＰＴは、第２動力伝達経路ＰＴ２から第１動力伝達経路ＰＴ１へ切り替えられる。このように、変速制御部９４は、第２クラッチＣ２の解放と第１クラッチＣ１の係合とによる有段変速制御によって、第２動力伝達経路ＰＴ２が形成された状態であるベルト走行モードから第１動力伝達経路ＰＴ１が形成された状態であるギヤ走行モードへ切り替える動力伝達装置１６のダウンシフトを実行する。本実施例では、ベルト走行モードからギヤ走行モードへ切り替える動力伝達装置１６のダウンシフトを有段ダウンシフトと称する。
【００５０】
ギヤ走行モードとベルト走行モードとを切り替える切替制御では、噛合式クラッチＤ１が係合された中車速領域でのベルト走行モードの状態を経由することで、上記クラッチツゥクラッチ変速によるトルクの受け渡しを行うだけで第１動力伝達経路ＰＴ１と第２動力伝達経路ＰＴ２とが切り替えられるので、切替えショックが抑制される。このように、ギヤ走行モードとベルト走行モードとを切り替える切替制御は、第１クラッチＣ１の作動状態の切替えと第２クラッチＣ２の作動状態の切替えとによる有段変速制御である。
【００５１】
変速制御部９４は、ベルト走行モードにおいては、無段変速機構２４のベルト滑りが発生しないようにしつつ無段変速機構２４の目標変速比γcvttを達成するように、プライマリ圧Ｐpriとセカンダリ圧Ｐsecとを制御する油圧制御指令信号Ｓcvtを油圧制御回路４６へ出力して、無段変速機構２４の変速を実行する。
【００５２】
具体的には、変速制御部９４は、予め定められた関係である例えばＣＶＴ変速マップにアクセル操作量θacc及び車速Ｖを適用することでプライマリ回転速度Ｎpri（＝入力軸回転速度Ｎin）の目標値である目標入力軸回転速度Ｎintを算出する。変速制御部９４は、出力軸回転速度Ｎoutの実際値である実出力軸回転速度Ｎoutと目標入力軸回転速度Ｎintとに基づいて無段変速機構２４の目標変速比γcvtt（＝Ｎint／Ｎout）を算出する。変速制御部９４は、予め定められた関係である例えばエンジントルクマップにスロットル開度tap及びエンジン回転速度Ｎeを適用することでエンジントルクＴeの推定値を算出する。変速制御部９４は、エンジントルクＴeの推定値と予め定められた関係である例えばトルクコンバータ２０の特性とに基づいてタービントルクＴtを算出する。変速制御部９４は、プライマリプーリ６０に入力される入力トルクであるプライマリ入力トルクＴpriとして、タービントルクＴtを用いる。プライマリ入力トルクＴpriは、プライマリ軸５８におけるトルクである。変速制御部９４は、予め定められた関係である推力比マップに目標変速比γcvtt及びトルク比を適用することで、目標変速比γcvttを実現する為の推力比τを算出する。このトルク比は、上記算出されたプライマリ入力トルクＴpriと、予め定められたプライマリプーリ６０に入力可能な限界のトルクＴprilimとの比（＝Ｔpri／Ｔprilim）である。変速制御部９４は、この推力比τを達成する為の目標プライマリ推力Ｗprit及び目標セカンダリ推力Ｗsectを算出する。一方の推力が決められれば、目標変速比γcvttを実現する為の推力比τに基づいて他方の推力も決められる。変速制御部９４は、目標プライマリ推力Ｗprit及び目標セカンダリ推力Ｗsectを、目標プライマリ圧Ｐprit（＝Ｗprit／受圧面積）及び目標セカンダリ圧Ｐsect（＝Ｗsect／受圧面積）に各々変換する。変速制御部９４は、目標プライマリ圧Ｐprit及び目標セカンダリ圧Ｐsectが得られるように、プライマリ圧Ｐpriとセカンダリ圧Ｐsecとを制御する油圧制御指令信号Ｓcvtを油圧制御回路４６へ出力する。油圧制御回路４６は、その油圧制御指令信号Ｓcvtに従って、各ソレノイド弁を作動させてプライマリ圧Ｐpri及びセカンダリ圧Ｐsecを調圧する。尚、上述した無段変速機構２４の変速制御の説明では、便宜上、目標変速比γcvttを一定に維持する為の推力について述べた。無段変速機構２４の変速過渡においては、目標のアップシフト或いは目標のダウンシフトを実現する為の推力がこの一定に維持する為の推力に加えられる。
【００５３】
目標プライマリ推力Ｗprit及び目標セカンダリ推力Ｗsectの算出では、必要最小限の推力で無段変速機構２４のベルト滑りを防止する為に必要となる推力である必要推力が考慮される。この必要推力は、無段変速機構２４のベルト滑りが発生する直前の推力である滑り限界推力である。
【００５４】
変速制御部９４は、プライマリプーリ６０の限界推力であるプライマリ限界推力Ｗprilimと、セカンダリプーリ６４の限界推力であるセカンダリ限界推力Ｗseclimを設定する。変速制御部９４は、次式（１）を用いてプライマリ限界推力Ｗprilimを設定する。変速制御部９４は、次式（２）を用いてセカンダリ限界推力Ｗseclimを設定する。次式（１）及び次式（２）において、「α」は各プーリ６０，６４のシーブ角、「μ」はベルトエレメントとシーブとの間の摩擦係数、「Ｒpri」は無段変速機構２４の変速比γcvtに基づいて算出されるプライマリプーリ６０側のベルト掛かり径、「γcvt×Ｔpri」はセカンダリプーリ６４に入力されるトルク、「Ｒsec」は無段変速機構２４の変速比γcvtに基づいて算出されるセカンダリプーリ６４側のベルト掛かり径をそれぞれ示している。
【００５５】
Ｗprilim＝（Ｔpri×cosα）／（２×μ×Ｒpri）  …（１）
Ｗseclim＝（γcvt×Ｔpri×cosα）／（２×μ×Ｒsec）  …（２）
【００５６】
変速制御部９４は、プライマリ限界推力Ｗprilim及び目標変速比γcvttを実現する為の推力比τに基づいて、変速制御の為に必要なセカンダリプーリ６４の推力であるセカンダリ変速制御推力Ｗsecsh（＝τ×Ｗprilim）を算出する。変速制御部９４は、セカンダリ限界推力Ｗseclim及びセカンダリ変速制御推力Ｗsecshのうちの大きい方を、目標セカンダリ推力Ｗsectとして設定する。変速制御部９４は、目標セカンダリ推力Ｗsect及び目標変速比γcvttを実現する為の推力比τに基づいて、目標プライマリ推力Ｗprit（＝Ｗsect／τ）を算出する。変速制御部９４は、実変速比γcvtを目標変速比γcvttと一致させる為のフィードバック制御量を算出し、目標セカンダリ推力Ｗsect及び推力比τに基づいて算出した目標プライマリ推力Ｗpritにフィードバック制御量を加算することで、その目標プライマリ推力Ｗpritをフィードバック制御により補正する。
【００５７】
ギヤ走行モード、ギヤ走行モードとベルト走行モードとを切り替える切替制御、シフトレバー８４がＮ操作ポジションとＤ操作ポジションとの間で操作されるガレージ操作などのベルト走行モード以外においても、無段変速機構２４のベルト滑りを防止しつつ、無段変速機構２４の目標変速比γcvttgtを実現することが望ましい。変速制御部９４は、ベルト走行モード以外においても、ベルト走行モードと同様に、目標プライマリ推力Ｗprit及び目標セカンダリ推力Ｗsectを設定して、プライマリ圧Ｐpriとセカンダリ圧Ｐsecとを制御する油圧制御指令信号Ｓcvtを油圧制御回路４６へ出力する。但し、プライマリ入力トルクＴpriは、第２クラッチＣ２の作動状態に応じたトルクとなる。例えば、ギヤ走行モードでの走行中などのように第２クラッチＣ２が完全解放の状態であるときには、プライマリ入力トルクＴpriはゼロとされる。又、上記切替制御中などのように第２クラッチＣ２が解放過渡の状態又は係合過渡の状態であるときには、プライマリ入力トルクＴpriは第２クラッチＣ２のトルク容量をプライマリ軸５８上に換算したトルク値とされる。この第２クラッチＣ２のトルク容量は、例えば油圧制御指令信号Ｓcbdに基づいて算出される。
【００５８】
ここで、回転速度センサ７０，７２，７４，７６として、例えば公知の電磁ピックアップ式センサ等を採用した場合、回転速度センサの特性上、実際の回転速度が極めて零に近い低回転速度領域にあると、検出した回転速度の精度が確保されない可能性がある。出力軸回転速度Ｎoutの検出精度が確保されていない場合には、無段変速機構２４の目標変速比γcvtt（＝Ｎint／Ｎout）を正しく算出することができない。出力軸回転速度Ｎoutの検出精度が無いか否かに応じた目標変速比γcvttの設定について以下に説明する。この説明では、出力軸回転速度Ｎoutの検出精度が確保されていない場合として、車両停止中を例示する。
【００５９】
図２は、出力軸回転速度Ｎoutの検出精度と目標変速比γcvttの設定との関係を説明する為の図表である。図２中の「ＣＶＴ変速ＦＢ制御」は、前述した無段変速機構２４の変速制御における、実変速比γcvtを目標変速比γcvttと一致させる為のフィードバック制御である。
【００６０】
図２において、車両停止中でなく、ある程度の車速Ｖがあることで出力軸回転速度Ｎoutの検出精度が有る場合には、無段変速機構２４の目標変速比γcvttは、実出力軸回転速度Ｎoutと目標入力軸回転速度Ｎintとに基づいて算出される。出力軸回転速度Ｎoutの検出精度が有る場合でも、例えば走行中にエンジン１２のストールが生じると、プライマリプーリ６０及びセカンダリプーリ６４は回転が停止させられる。その為、実変速比γcvt（＝Ｎpri／Ｎsec）を正しく算出することができない。従って、セカンダリ回転速度Ｎsecの検出精度が有る場合にはＣＶＴ変速ＦＢ制御が作動させられるが、セカンダリ回転速度Ｎsecの検出精度が無い場合にはＣＶＴ変速ＦＢ制御が停止させられる。尚、エンジン１２のストールが生じると、オイルポンプ４４が回転駆動されない為、複数の係合装置は何れも解放されて動力伝達装置１６はニュートラル状態とされる。
【００６１】
又、車両停止中である為に出力軸回転速度Ｎoutの検出精度が無い場合には、基本的には、無段変速機構２４の目標変速比γcvttは、予め定められた固定値として最ロー側変速比γmaxが設定される。車両停止中のときに、第１動力伝達経路ＰＴ１及び第２動力伝達経路ＰＴ２のうちの何れかが形成されている場合には、プライマリプーリ６０及びセカンダリプーリ６４は回転が停止させられる。その為、実変速比γcvtを正しく算出することができない。従って、セカンダリ回転速度Ｎsecの検出精度が無い場合にはＣＶＴ変速ＦＢ制御が停止させられる。一方で、車両停止中であっても、動力伝達装置１６がニュートラル状態とされている場合には、プライマリプーリ６０及びセカンダリプーリ６４は、エンジン回転速度Ｎeに合わせて回転させられる。その為、実変速比γcvtを正しく算出することができると共に、無段変速機構２４の変速制御を実行することもできる。従って、セカンダリ回転速度Ｎsecの検出精度が有る場合にはＣＶＴ変速ＦＢ制御が作動させられる。
【００６２】
尚、エンジン１２と駆動輪１４との間の動力伝達経路において、前後進切替装置２６と、前後進切替装置２６よりも駆動輪１４側に設けられた無段変速機構２４とを直列に備えるような公知の車両用動力伝達装置では、その車両用動力伝達装置がニュートラル状態とされても車両停止中である場合には、プライマリプーリ６０及びセカンダリプーリ６４は回転が停止させられる。その為、実変速比γcvtを正しく算出することができず、又、無段変速機構２４の変速制御を実行することもできない。
【００６３】
無段変速機構２４では、プライマリプーリ６０のＶ溝幅を広くする方向への移動が機械的に阻止された可動シーブ６０ｂの位置にてそのＶ溝幅が最大とされて、最ロー側変速比γmaxが形成される。その為、無段変速機構２４の変速比γcvtが最ロー側変速比γmaxとなっているときには、最ロー側変速比γmaxを実現する為の目標プライマリ圧Ｐpritを下げてもベルト滑りを防止する為のベルトトルク容量Ｔcvtが確保される。従って、目標変速比γcvttとして最ロー側変速比γmaxが設定された場合には、例えば目標プライマリ推力Ｗpritが、最ロー側変速比γmaxを実現する為のプライマリ推力Ｗpriよりも小さくされる。
【００６４】
ところで、車両停止中且つ動力伝達装置１６のニュートラル状態のときには無段変速機構２４の変速が可能であるので、セカンダリ推力Ｗsecを最大とするセカンダリ圧Ｐsecが油圧制御回路４６から出力されるようなフェールが発生した場合にプライマリ推力Ｗpriが小さくされていると、可動シーブ６０ｂの移動を機械的に阻止する部材等に過大な負荷が掛かり、無段変速機構２４の耐久性が低下する可能性がある。このようなフェール時には、プライマリ推力Ｗpriを大きくして可動シーブ６０ｂの移動を機械的に阻止する部材等への負荷を抑制又は除くことで無段変速機構２４の耐久性の低下を抑制又は回避することが望ましい。このようなフェール時には、プライマリ推力Ｗpriが大きくされるように、目標変速比γcvttが例えば「１」に設定される。或いは、無段変速機構２４の変速を実行すると作動油の流量収支が成立しなくなる場合には、必要なベルトトルク容量Ｔcvtが確保されずベルト滑りが生じ、無段変速機構２４の耐久性が低下する可能性がある。このような作動油の流量収支が成立しなくなるときには、無段変速機構２４の変速を一時的に止めて必要なベルトトルク容量Ｔcvtを確保することで無段変速機構２４の耐久性の低下を抑制又は回避することが望ましい。このような作動油の流量収支が成立しなくなるときには、無段変速機構２４の変速が一時的に止められるように、目標変速比γcvttが現在の実変速比γcvtの値に設定される。
【００６５】
本実施例では、前述した無段変速機構２４の耐久性の低下を抑制又は回避することを、ハード保護と称する。又、本実施例では、前述したような、予め定められたハード保護の為の、最ロー側変速比γmaxよりもハイ側の変速比γcvtとなる無段変速機構２４の目標変速比γcvttを、ハード保護要求による最ロー側変速比γmax以外の目標変速比γcvttと称する。このハード保護要求による最ロー側変速比γmax以外の目標変速比γcvttを、ハード保護要求による目標変速比γcvttと称することもある。
【００６６】
図２に示すように、出力軸回転速度Ｎoutの検出精度が無く且つセカンダリ回転速度Ｎsecの検出精度が有るときに、すなわち車両停止中且つ動力伝達装置１６のニュートラル状態のときに、ハード保護要求による最ロー側変速比γmax以外の目標変速比γcvttを設定する要求が有る場合には、無段変速機構２４の目標変速比γcvttは、最ロー側変速比γmaxに替えて、ハード保護要求による目標変速比γcvttが設定される。
【００６７】
電子制御装置９０は、上述した出力軸回転速度Ｎoutの検出精度が無いか否かに応じて目標変速比γcvttを設定するという制御機能を実現する為に、更に、精度有無判定手段すなわち精度有無判定部９６、及び要求有無判定手段すなわち要求有無判定部９８を備えている。
【００６８】
精度有無判定部９６は、出力軸回転速度Ｎoutの検出精度が無いか否かを判定する。例えば、精度有無判定部９６は、回転速度センサ７６により検出される出力軸回転速度Ｎoutが所定の極低回転速度Ｎoutf以上でないか否かに基づいて、出力軸回転速度Ｎoutの検出精度が無いか否かを判定する。この所定の極低回転速度Ｎoutfは、例えば回転速度センサ７６の特性上、出力軸回転速度Ｎoutを精度良く検出できる回転速度として予め定められた回転速度領域の下限回転速度である。
【００６９】
特には、精度有無判定部９６は、車両停止中であるか否かに基づいて、出力軸回転速度Ｎoutの検出精度が無いか否かを判定する。このように、出力軸回転速度Ｎoutの検出精度が無いか否かを判定することは、車両停止中であるか否かを判定することである。つまり、精度有無判定部９６は、車両停止中であるか否かを判定する。精度有無判定部９６は、車両停止中であるときには、出力軸回転速度Ｎoutの検出精度が無いと判定する。
【００７０】
精度有無判定部９６は、セカンダリ回転速度Ｎsecの検出精度が有るか否かを判定する。例えば、精度有無判定部９６は、回転速度センサ７４により検出されるセカンダリ回転速度Ｎsecが所定の極低回転速度Ｎsecf以上であるか否かに基づいて、セカンダリ回転速度Ｎsecの検出精度が有るか否かを判定する。この所定の極低回転速度Ｎsecfは、例えば回転速度センサ７４の特性上、セカンダリ回転速度Ｎsecを精度良く検出できる回転速度として予め定められた回転速度領域の下限回転速度である。
【００７１】
特には、精度有無判定部９６は、出力軸回転速度Ｎoutの検出精度が無いと判定した場合には、動力伝達装置１６がニュートラル状態であるか否かに基づいて、セカンダリ回転速度Ｎsecの検出精度が有るか否かを判定する。このように、出力軸回転速度Ｎoutの検出精度が無い場合には、セカンダリ回転速度Ｎsecの検出精度が有るか否かを判定することは、動力伝達装置１６がニュートラル状態であるか否かを判定することである。つまり、精度有無判定部９６は、車両停止中であると判定した場合には、動力伝達装置１６がニュートラル状態であるか否かを判定する。精度有無判定部９６は、車両停止中に、動力伝達装置１６がニュートラル状態であるときには、セカンダリ回転速度Ｎsecの検出精度が有ると判定する。
【００７２】
要求有無判定部９８は、ハード保護要求による最ロー側変速比γmax以外の目標変速比γcvttを設定する要求が有るか否かを判定する。つまり、要求有無判定部９８は、最ロー側変速比γmax以外の目標変速比γcvttを設定する必要があるようなハード保護の要求が有るか否かを判定する。要求有無判定部９８は、セカンダリ推力Ｗsecを最大とするセカンダリ圧Ｐsecが油圧制御回路４６から出力されるようなフェールが発生したとき、及び、無段変速機構２４の変速を実行すると作動油の流量収支が成立しなくなるとき等のうちの少なくとも１つのときには、ハード保護要求による最ロー側変速比γmax以外の目標変速比γcvttを設定する要求が有ると判定する。
【００７３】
変速制御部９４は、精度有無判定部９６により出力軸回転速度Ｎoutの検出精度が無いと判定されたときに、要求有無判定部９８によりハード保護要求による最ロー側変速比γmax以外の目標変速比γcvttを設定する要求が有ると判定された場合には、無段変速機構２４の目標変速比γcvttをハード保護要求による目標変速比γcvttに設定する。変速制御部９４は、例えばセカンダリ推力Ｗsecを最大とするセカンダリ圧Ｐsecが油圧制御回路４６から出力されるようなフェールが発生したときには、ハード保護要求による目標変速比γcvttとして「１」を設定する。又は、変速制御部９４は、例えば無段変速機構２４の変速を実行すると作動油の流量収支が成立しなくなるときには、ハード保護要求による目標変速比γcvttとして現在の実変速比γcvtの値を設定する。変速制御部９４は、上記フェールが発生したときや上記流量収支が成立しなくなるとき等が重なるときには、優先度が高い方のハード保護要求による目標変速比γcvttを設定する。無段変速機構２４の耐久性をより低下させる現象の方が優先度が高くされる。例えば、上記フェールが発生したときの方が上記流量収支が成立しなくなるときよりも優先度が高くされる。
【００７４】
一方で、変速制御部９４は、精度有無判定部９６により出力軸回転速度Ｎoutの検出精度が無いと判定されたときに、要求有無判定部９８によりハード保護要求による最ロー側変速比γmax以外の目標変速比γcvttを設定する要求が無いと判定された場合には、無段変速機構２４の目標変速比γcvttを最ロー側変速比γmaxに設定する。
【００７５】
特には、変速制御部９４は、精度有無判定部９６により車両停止中且つ動力伝達装置１６のニュートラル状態と判定されたときに、要求有無判定部９８によりハード保護要求による最ロー側変速比γmax以外の目標変速比γcvttを設定する要求が有ると判定された場合には、無段変速機構２４の目標変速比γcvttをハード保護要求による目標変速比γcvttに設定する。一方で、変速制御部９４は、精度有無判定部９６により車両停止中且つ動力伝達装置１６のニュートラル状態と判定されたときに、要求有無判定部９８によりハード保護要求による最ロー側変速比γmax以外の目標変速比γcvttを設定する要求が無いと判定された場合には、無段変速機構２４の目標変速比γcvttを最ロー側変速比γmaxに設定する。他方で、変速制御部９４は、精度有無判定部９６により車両停止中であると判定されたときに、精度有無判定部９６により動力伝達装置１６がニュートラル状態でないと判定された場合には、すなわち精度有無判定部９６により第１動力伝達経路ＰＴ１及び第２動力伝達経路ＰＴ２のうちの何れかが形成されていると判定された場合には、無段変速機構２４の目標変速比γcvttを最ロー側変速比γmaxに設定する。
【００７６】
変速制御部９４は、精度有無判定部９６により出力軸回転速度Ｎoutの検出精度が有ると判定されたときには、実出力軸回転速度Ｎoutと目標入力軸回転速度Ｎintとを用いて無段変速機構２４の目標変速比γcvtt（＝Ｎint／Ｎout）を算出する。
【００７７】
図３は、電子制御装置９０の制御作動の要部すなわち出力軸回転速度Ｎoutの検出精度が確保できないときに無段変速機構２４の耐久性の低下を抑制又は回避する為の制御作動を説明するフローチャートであり、例えば繰り返し実行される。
【００７８】
図３において、先ず、精度有無判定部９６の機能に対応するステップ（以下、ステップを省略する）Ｓ１０において、出力軸回転速度Ｎoutの検出精度が無いか否かが判定される。特には、車両停止中であるか否かが判定される。このＳ１０の判断が肯定される場合は精度有無判定部９６の機能に対応するＳ２０において、セカンダリ回転速度Ｎsecの検出精度が有るか否かが判定される。特には、動力伝達装置１６がニュートラル状態であるか否かが判定される。このＳ２０の判断が肯定される場合は要求有無判定部９８の機能に対応するＳ３０において、ハード保護要求による最ロー側変速比γmax以外の目標変速比γcvttを設定する要求が有るか否かが判定される。このＳ３０の判断が肯定される場合は変速制御部９４の機能に対応するＳ４０において、無段変速機構２４の目標変速比γcvttがハード保護要求による目標変速比γcvttに設定される。一方で、上記Ｓ２０の判断が否定されるか、又は上記Ｓ３０の判断が否定される場合は変速制御部９４の機能に対応するＳ５０において、無段変速機構２４の目標変速比γcvttが最ロー側変速比γmaxに設定される。上記Ｓ１０の判断が否定される場合は変速制御部９４の機能に対応するＳ６０において、実出力軸回転速度Ｎoutと目標入力軸回転速度Ｎintとに基づいて無段変速機構２４の目標変速比γcvtt（＝Ｎint／Ｎout）が算出される。上記Ｓ４０に次いで、又は、上記Ｓ５０に次いで、又は、上記Ｓ６０に次いで、変速制御部９４の機能に対応するＳ７０において、上記設定された目標変速比γcvttを用いて無段変速機構２４の変速制御が実行される。つまり、上記設定された目標変速比γcvttが無段変速機構２４の変速制御に反映される。
【００７９】
上述のように、本実施例によれば、出力軸回転速度Ｎoutの検出精度が無いときに、ハード保護要求による最ロー側変速比γmax以外の目標変速比γcvttを設定する要求が有る場合には、無段変速機構２４の目標変速比γcvttがハード保護要求による目標変速比γcvttに設定されるので、目標変速比γcvttが最ロー側変速比γmaxとされたことでその最ロー側変速比γmaxへの無段変速機構２４の変速が実行されると無段変速機構２４の耐久性が低下する可能性があるときには、無段変速機構２４の変速比γcvtを最ロー側変速比γmaxとする制御が実行されない。よって、出力軸回転速度Ｎoutの検出精度が確保できないときに、無段変速機構２４の耐久性の低下を抑制又は回避することができる。一方で、出力軸回転速度Ｎoutの検出精度が無いときに、前記要求が無い場合には、無段変速機構２４の目標変速比γcvttが最ロー側変速比γmaxに設定されるので、実出力軸回転速度Ｎoutを用いて目標変速比γcvttを算出することができないときには、無段変速機構２４の変速比γcvtを最ロー側変速比γmaxとする制御が実行され得る。
【００８０】
また、本実施例によれば、出力軸回転速度Ｎoutの検出精度が無いか否かを判定することは、車両停止中であるか否かを判定することであるので、車両停止中のときに、無段変速機構２４の耐久性の低下を抑制又は回避することができる。
【００８１】
また、本実施例によれば、車両停止中且つ動力伝達装置１６のニュートラル状態のときに、ハード保護要求による最ロー側変速比γmax以外の目標変速比γcvttを設定する要求が有る場合には、無段変速機構２４の目標変速比γcvttがハード保護要求による目標変速比γcvttに設定されるので、目標変速比γcvttが最ロー側変速比γmaxとされたことでその最ロー側変速比γmaxへの無段変速機構２４の変速が実行されると無段変速機構２４の耐久性が低下する可能性があるときには、無段変速機構２４の変速比γcvtが最ロー側変速比γmaxとされない。よって、車両停止中且つ動力伝達装置１６のニュートラル状態のときに、無段変速機構２４の耐久性の低下を抑制又は回避することができる。一方で、車両停止中且つ動力伝達装置１６のニュートラル状態のときに、前記要求が無い場合には、無段変速機構２４の目標変速比γcvttが最ロー側変速比γmaxに設定されるので、実出力軸回転速度Ｎoutを用いて目標変速比γcvttを算出することができないときには、無段変速機構２４の変速比γcvtが最ロー側変速比γmaxとされる。
【００８２】
また、本実施例によれば、車両停止中のときに、第１動力伝達経路ＰＴ１及び第２動力伝達経路ＰＴ２のうちの何れかが形成されている場合には、無段変速機構２４の目標変速比γcvttが最ロー側変速比γmaxに設定されるので、実出力軸回転速度Ｎoutを用いて目標変速比γcvttを算出することができず、且つ無段変速機構２４の変速を実行できないときには目標変速比γcvttが最ロー側変速比γmaxに固定される。
【００８３】
また、本実施例によれば、出力軸回転速度Ｎoutの検出精度が有るときには、無段変速機構２４の目標変速比γcvttが、実出力軸回転速度Ｎoutと目標入力軸回転速度Ｎintとを用いて算出されるので、走行状態に合った適切な目標変速比γcvttが算出される。
【００８４】
また、本実施例によれば、前記ハード保護は、無段変速機構２４の耐久性の低下を抑制又は回避することであるので、出力軸回転速度Ｎoutの検出精度が確保できないときに、無段変速機構２４の耐久性の低下を抑制又は回避することができる。
【００８５】
以上、本発明の実施例を図面に基づいて詳細に説明したが、本発明はその他の態様においても適用される。
【００８６】
例えば、前述の実施例において、図３のフローチャートにおけるＳ２０は必ずしも必要ではない。つまり、出力軸回転速度Ｎoutの検出精度が無いときに、ハード保護要求による最ロー側変速比γmax以外の目標変速比γcvttを設定する要求が有る場合には、セカンダリ回転速度Ｎsecの検出精度が有るか否かに拘わらず、無段変速機構２４の目標変速比γcvttをハード保護要求による目標変速比γcvttに設定しても良い。本発明では、出力軸回転速度Ｎoutの検出精度やハード保護要求に応じた目標変速比γcvttが設定されれば良い。
【００８７】
また、前述の実施例では、出力軸回転速度Ｎoutの検出精度が無い場合として車両停止中を例示したが、この態様に限らない。例えば、出力軸回転速度Ｎoutの検出精度が無い場合は、実出力軸回転速度Ｎoutが所定の極低回転速度Ｎoutf以上でないような極低車速での走行中であっても良い。
【００８８】
また、前述の実施例では、出力軸回転速度Ｎoutの検出精度が有るときには、実出力軸回転速度Ｎoutと目標入力軸回転速度Ｎintとに基づいて無段変速機構２４の目標変速比γcvttを算出したが、この態様に限らない。例えば、出力軸回転速度Ｎoutの検出精度が有るときに、ハード保護要求による最ロー側変速比γmax以外の目標変速比γcvttを設定する要求が有る場合には、無段変速機構２４の目標変速比γcvttをハード保護要求による目標変速比γcvttに設定しても良い。
【００８９】
また、前述の実施例では、ギヤ機構２８は、無段変速機構２４の最ロー側変速比γmaxよりもロー側の変速比となる１つのギヤ段が形成されるギヤ機構であったが、この態様に限らない。例えば、ギヤ機構２８は、変速比が異なる複数のギヤ段が形成されるギヤ機構であっても良い。つまり、ギヤ機構２８は２段以上に変速される有段変速機であっても良い。又は、ギヤ機構２８は、無段変速機構２４の最ハイ側変速比γminよりもハイ側の変速比、及び最ロー側変速比γmaxよりもロー側の変速比を形成するギヤ機構であっても良い。
【００９０】
また、前述の実施例では、動力伝達装置１６の走行モードを、予め定められたアップシフト線及びダウンシフト線を用いて切り替えたが、この態様に限らない。例えば、車速Ｖ及びアクセル操作量θaccに基づいて要求駆動力Ｆdemを算出し、その要求駆動力Ｆdemを満たすことができる変速比を設定することで、動力伝達装置１６の走行モードを切り替えても良い。
【００９１】
また、前述の実施例では、流体式伝動装置としてトルクコンバータ２０が用いられたが、この態様に限らない。例えば、トルクコンバータ２０に替えて、トルク増幅作用のないフルードカップリングなどの他の流体式伝動装置が用いられても良い。或いは、この流体式伝動装置は必ずしも設けられなくても良い。又、ギヤ機構２８を介した第１動力伝達経路ＰＴ１には、噛合式クラッチＤ１が設けられていたが、この噛合式クラッチＤ１は本発明を実施する上では、必ずしも設けられなくても良い。
【００９２】
尚、上述したのはあくまでも一実施形態であり、本発明は当業者の知識に基づいて種々の変更、改良を加えた態様で実施することができる。
【符号の説明】
【００９３】
１２：エンジン（動力源）
１４：駆動輪
１６：車両用動力伝達装置
２２：入力軸（入力回転部材）
２４：無段変速機構
２８：ギヤ機構
３０：出力軸（出力回転部材）
６０：プライマリプーリ
６４：セカンダリプーリ
６６：伝動ベルト（伝達要素）
９０：電子制御装置（制御装置）
９４：変速制御部
９６：精度有無判定部
９８：要求有無判定部
Ｂ１：第１ブレーキ（第１係合装置）
Ｃ１：第１クラッチ（第１係合装置）
Ｃ２：第２クラッチ（第２係合装置）
ＰＴ１：第１動力伝達経路
ＰＴ２：第２動力伝達経路
【図１】
2019132307.tif 000003
【図２】
2019132307.tif 000004
【図３】
2019132307.tif 000005